(57)【要約】【課題】作業速度の高速化を図ることができる畦塗り機を提供する。【解決手段】畦塗り機は、土を盛り上げる盛土体と、この盛土体による盛土を締め固めて畦上面を形成する畦上面形成体７とを備える。畦上面形成体７の１秒間の移動距離Ｌ１は、５００ｍｍ以上である。畦上面形成体７の前端ａと畦上面形成体７の接地点ｂとの間の水平距離Ｌ２は、０．２３×Ｌ１以上である。畦上面形成体７は、前端ａから接地点ｂまでの部分で土を締め固めて畦上面を形成する。【選択図】図２
2018166453.tif 000002
【特許請求の範囲】
【請求項１】
走行車に連結され、前記走行車の走行により移動しながら畦塗り作業をする畦塗り機であって、
土を盛り上げる盛土体と、
この盛土体によって盛り上げられた土を締め固めて畦上面を形成する畦上面形成体とを備え、
前記畦上面形成体の１秒間の移動距離Ｌ１は、５００ｍｍ以上であり、
前記畦上面形成体の前端と前記畦上面形成体の接地点との間の水平距離Ｌ２は、０．２３×Ｌ１以上である
ことを特徴とする畦塗り機。
【請求項２】
畦上面形成体は、前端から接地点までの部分で土を締め固める
ことを特徴とする請求項１記載の畦塗り機。
【請求項３】
畦上面形成体は、畦上面形成用のローラによって構成されている
ことを特徴とする請求項１又は２記載の畦塗り機。
【請求項４】
畦上面形成体は、畦上面形成用のコンベヤによって構成されている
ことを特徴とする請求項１又は２記載の畦塗り機。
【請求項５】
畦上面形成体は、畦上面形成用のソリによって構成されている
ことを特徴とする請求項１又は２記載の畦塗り機。
【発明の詳細な説明】
【技術分野】
【０００１】
本発明は、畦塗り作業をする畦塗り機に関するものである。
【背景技術】
【０００２】
従来、例えば下記の特許文献１に記載された畦塗り機が知られている。
【０００３】
この従来の畦塗り機は、土を盛り上げる盛土体と、この盛土体によって盛り上げられた土を締め固めて畦上面を形成する畦上面形成体と、この畦上面形成体に連設され土を締め固めて畦側面を形成する畦側面形成体とを備えている。
【先行技術文献】
【特許文献】
【０００４】
【特許文献１】特開平６−２２６０４号公報
【発明の概要】
【発明が解決しようとする課題】
【０００５】
しかしながら、上記従来の畦塗り機では、作業速度を上げるには限界があり、近年この種の畦塗り機においては、作業速度の高速化が強く要望されている。
【０００６】
本発明は、このような点に鑑みなされたもので、作業速度の高速化を図ることができる畦塗り機を提供することを目的とする。
【課題を解決するための手段】
【０００７】
本発明の畦塗り機は、走行車に連結され、前記走行車の走行により移動しながら畦塗り作業をする畦塗り機であって、土を盛り上げる盛土体と、この盛土体によって盛り上げられた土を締め固めて畦上面を形成する畦上面形成体とを備え、前記畦上面形成体の１秒間の移動距離Ｌ１は、５００ｍｍ以上であり、前記畦上面形成体の前端と前記畦上面形成体の接地点との間の水平距離Ｌ２は、０．２３×Ｌ１以上であるものである。
【発明の効果】
【０００８】
本発明によれば、作業速度の高速化を図ることができる。
【図面の簡単な説明】
【０００９】
【図１】本発明の第１の実施の形態に係る畦塗り機の平面図である。
【図２】同上畦塗り機の上面形成体の側面図である。
【図３】本発明の第２の実施の形態に係る畦塗り機の上面形成体の側面図である。
【図４】本発明の第３の実施の形態に係る畦塗り機の平面図である。
【図５】同上畦塗り機の上面形成体の側面図である。
【図６】本発明の第４の実施の形態に係る畦塗り機の平面図である。
【図７】同上畦塗り機の上面形成体の側面図である。
【発明を実施するための形態】
【００１０】
本発明の第１の実施の形態について図１及び図２を参照して説明する。
【００１１】
図中の１は畦塗り機で、この畦塗り機１は、走行車であるトラクタの後部に連結され、このトラクタの前進走行により前方に移動しながら畦塗り作業をするものである。なお、圃場の隅部におけるリターン作業（後進作業）の際には、畦塗り機１は、トラクタの後進走行により後方に移動しながら畦塗り作業をする。
【００１２】
畦塗り機１は、トラクタの後部の３点リンク部に脱着可能に連結される機体２と、この機体２に回転可能に設けられ、所定方向に回転しながら田面及び畦（元畦）の土を耕耘して盛り上げる盛土体３と、この盛土体３によって盛り上げられた土を締め固めて畦（新畦）を形成する畦形成体４とを備えている。
【００１３】
そして、畦形成体４は、畦側面を形成する畦側面形成体６と、畦上面を形成する畦上面形成体７とからなるものである。つまり、この畦形成体４は、所定方向に回転しながら盛土体３による盛土を締め固めて傾斜状の畦側面を形成する畦側面形成体６と、この畦側面形成体６に連設され、所定方向に回転しながら盛土体３による盛土を締め固めて水平状の畦上面を形成する畦上面形成体７とを有している。なお、畦形成体４の周速は、畦側面形成体６及び畦上面形成体７が畦の面に対してスリップ状態で回転するようにトラクタの走行速度よりも速い。
【００１４】
機体２は、トラクタの後部の３点リンク部に脱着可能に連結される機枠11を有している。機枠11の軸保持部12には入力軸（図示せず）が回転可能に設けられ、この入力軸はトラクタのＰＴＯ軸にジョイントを介して接続される。
【００１５】
また、機枠11には可動機枠13が連結手段14を介して連結され、この可動機枠13には盛土体３及び畦形成体４がそれぞれ回転可能に設けられている。可動機枠13は、第１シリンダ16及び第２シリンダ17の伸縮によって機枠11に対して移動可能となっている。そして、盛土体３及び畦形成体４は、前進作業時には可動機枠13が前進作業位置に位置決めされることで前進作業状態に設定され、後進作業時には可動機枠13が後進作業位置に位置決めされることで１８０度反転した後進作業状態に設定される。
【００１６】
盛土体３は、機体２の可動機枠13によって回転可能に支持され入力軸側からの動力で回転する前後方向の回転軸21を有している。この回転軸21には、複数の盛土用の耕耘爪22が脱着可能に取り付けられている。また、盛土体３は、カバー体23によって覆われている。
【００１７】
畦形成体４は、機体２の可動機枠13によって回転可能に支持され入力軸側からの動力で回転する左右方向の回転軸25を有している。この回転軸25の先端部には円錐形状の畦側面形成体６が脱着可能に取り付けられ、この畦側面形成体６の縮径端部に円筒状の畦上面形成体７が脱着可能に取り付けられている。そして、これら畦側面形成体６及び畦上面形成体７は、回転軸25の軸心を通る水平方向の回転中心軸線Ｘを中心として回転しながら畦形成を行う。
【００１８】
畦側面形成体６は、円錐形状のベース部材26と、このベース部材26に脱着可能に取り付けられた複数の畦側面形成板27とを有している。
【００１９】
畦上面形成体７は、例えば円筒状（略円筒状を含む）をなす畦上面形成用のローラである段差付き上面ローラ31によって構成されている。この段差付き上面ローラ31は、螺旋の一部を描くような複数の段差部32を外周面に有している。
【００２０】
ここで、図２に示すように、畦塗り作業時における畦上面形成体７である段差付き上面ローラ31の１秒間の移動距離Ｌ１（単位時間当たりの移動距離）は、５００ｍｍ以上である。すなわち例えば、「５００ｍｍ≦Ｌ１≦１０００ｍｍ」である。
【００２１】
また、段差付き上面ローラ31の前端ａと段差付き上面ローラ31の接地点（畦上面との接地点である最下点）ｂとの間の水平距離Ｌ２は、０．２３×Ｌ１（ｍｍ）以上である。すなわち例えば、「０．２３×Ｌ１≦Ｌ２≦０．７×Ｌ１」である。なお、この段差付き上面ローラ31における水平距離Ｌ２は、半径寸法である。また、Ｌ２の上限値は、畦側面形成体６との関係で設定されたものである。
【００２２】
そして、この条件を満たす形状の畦上面形成体７は、高速作業に対応可能な所望量の盛土を、前端ａから接地点ｂまでの部分7aで圧縮して締め固めて畦上面を形成することが可能である。
【００２３】
次に、畦塗り機１の作用等を説明する。
【００２４】
トラクタの走行により、畦塗り機１を比較的速い速度で進行方向に移動させながら畦塗り作業を行うが、この際のトラクタの走行速度は、畦上面形成体７の１秒間の移動距離Ｌ１が例えば５００ｍｍ以上となるように設定する。
【００２５】
畦塗り機１が進行方向に移動すると、盛土体３が回転しながら田面及び畦の土を耕耘して盛り上げ、畦側面形成体６が回転しながらその盛土を締め固めて畦側面を形成し、畦上面形成体７が回転しながらその盛土を締め固めて畦上面を形成する。
【００２６】
そして、畦塗り機１によれば、移動距離Ｌ１が５００ｍｍ以上で、かつ、水平距離Ｌ２が０．２３×Ｌ１以上であるから、従来のものに比べて、畦塗り作業の作業速度の高速化を図ることができる。
【００２７】
本発明の第２の実施の形態について図３を参照して説明する。
【００２８】
畦上面形成体７を構成する畦上面形成用のローラは、段差付き上面ローラ31には限定されず、図３に示す段差がない上面ローラ41でもよい。すなわち、この上面ローラ41は、外周面が円筒面状に形成されている。そして、この上面ローラ41においても、例えば「５００ｍｍ≦Ｌ１≦１０００ｍｍ」であり、「０．２３×Ｌ１≦Ｌ２≦０．７×Ｌ１」である。
【００２９】
本発明の第３の実施の形態について図４及び図５を参照して説明する。
【００３０】
畦塗り機１の畦上面形成体７は、例えば図４、５に示す畦上面形成用のコンベヤ（ベルト手段）46によって構成してもよい。
【００３１】
この畦上面形成用のコンベヤ46は、所定方向に回転（回行）しながら盛土体３による盛土を締め固めて水平状の畦上面を形成する無端体である無端状のベルト47を有している。このベルト47は、複数、例えば３つの回転体48，49，50、つまり１つの駆動ローラ48及び２つの従動ローラ49，50に回行可能に巻き掛けられている。
【００３２】
駆動ローラ48は、回転軸25側からの動力で回転する駆動軸51に固着されている。従動ローラ49，50は、それぞれ個別に支軸52，53によって回転可能に支持されており、これら互いに離間対向した前後の両支軸52，53が連結軸54によって連結されている。このため、前側の従動ローラ50は、後側の従動ローラ49よりも前方でかつ上方の位置に配設されている。
【００３３】
そして、図５に示すように、畦塗り作業時における畦上面形成体７であるコンベヤ46の１秒間の移動距離Ｌ１（単位時間当たりの移動距離）は、５００ｍｍ以上である。すなわち例えば、「５００ｍｍ≦Ｌ１≦１０００ｍｍ」である。
【００３４】
また、コンベヤ46の前端ａとコンベヤ46の接地点（畦上面との接地点である最下点）ｂとの間の水平距離Ｌ２は、０．２３×Ｌ１（ｍｍ）以上である。すなわち例えば、「０．２３×Ｌ１≦Ｌ２≦２．０×Ｌ１」である。なお、このコンベヤ46における水平距離Ｌ２は、ベルト47の前端（前端位置）と、ベルト47のうち畦上面と接触する部分47aの前端との間の水平距離である。
【００３５】
そして、この条件を満たす形状の畦上面形成体７は、高速作業に対応可能な所望量の盛土を、前端ａから接地点ｂまでの部分7aで圧縮して締め固めて畦上面を形成することが可能である。なお、当該部分（土圧縮部）7aは、前上り傾斜状であり、当該部分7aの畦上面に対する傾斜角度θは、例えば１５°〜４５°であり、好ましくは４５°である。
【００３６】
よって、この畦塗り機１であっても、上述した実施形態に係る畦塗り機１と同様、畦塗り作業の作業速度の高速化を図ることができる。
【００３７】
本発明の第４の実施の形態について図６及び図７を参照して説明する。
【００３８】
畦塗り機１の畦上面形成体７は、例えば図６に示す畦上面形成用のソリ（板手段）61によって構成してもよい。
【００３９】
この畦上面形成用のソリ61は、畦上面に沿って摺動しながら盛土体３による盛土を締め固めて水平状の畦上面を形成する作用板62を有している。この作用板62は、前上り傾斜状の傾斜板部63と、水平状の水平板部64とにて構成されている。
【００４０】
また、作用板62は、前後の取付板66，67の下端部に取り付けられており、前側の取付板66の上端部が取付アーム68に取り付けられ、後側の取付板67の上端部が細長い円筒状のカラー69に取り付けられている。取付アーム68は、可動機枠13に固着されている。カラー69は、回転軸25に連結された支軸70によって支持されている。
【００４１】
そして、図７に示すように、畦塗り作業時における畦上面形成体７であるソリ61の１秒間の移動距離Ｌ１（単位時間当たりの移動距離）は、５００ｍｍ以上である。すなわち例えば、「５００ｍｍ≦Ｌ１≦１０００ｍｍ」である。
【００４２】
また、ソリ61の前端ａとソリ61の接地点（畦上面との接地点である最下点）ｂとの間の水平距離Ｌ２は、０．２３×Ｌ１（ｍｍ）以上である。すなわち例えば、「０．２３×Ｌ１≦Ｌ２≦２．０×Ｌ１」である。なお、このソリ61における水平距離Ｌ２は、作用板62の傾斜板部63の前端（上端）と、作用板62の水平板部64の前端との間の水平距離である。
【００４３】
そして、この条件を満たす形状の畦上面形成体７は、高速作業に対応可能な所望量の盛土を、前端ａから接地点ｂまでの部分7aで圧縮して締め固めて畦上面を形成することが可能である。なお、当該部分（土圧縮部）7aは、前上り傾斜状の傾斜板部63であり、この傾斜板部63の畦上面に対する傾斜角度θは、例えば１５°〜４５°であり、好ましくは３４°である。
【００４４】
よって、この畦塗り機１であっても、上述した実施形態に係る畦塗り機１と同様、畦塗り作業の作業速度の高速化を図ることができる。
【００４５】
なお、いずれの実施形態においても、畦側面形成体６は、円錐形状のディスクには限定されず、例えば図示しないが、他の形状や構造のものでもよく、任意である。
【符号の説明】
【００４６】
１    畦塗り機
３    盛土体
７    畦上面形成体
31    ローラである段差付き上面ローラ
41    ローラである上面ローラ（段差なし）
46    コンベヤ
61    ソリ
Ｌ１  移動距離
Ｌ２  水平距離
ａ    畦上面形成体の前端
ｂ    畦上面形成体の接地点（下端）
【図１】
2018166453.tif 000003
【図２】
2018166453.tif 000004
【図３】
2018166453.tif 000005
【図４】
2018166453.tif 000006
【図５】
2018166453.tif 000007
【図６】
2018166453.tif 000008
【図７】
2018166453.tif 000009